(57)【要約】      （修正有）【課題】瞬時に精算が可能であることは改めて言うまでもなく、各種の用途に利用することが可能で、極めて便利効率的であり、携帯性に優れ、且つ、防犯上に優れた効果を有する料金支払装置を提供するものである。【解決手段】少なくとも送受信装置３、制御装置４を有する無線機本体１と、前記送受信装置３における外部課金システムとの間で送受信するためのアンテナ１２とを有する無線装置本体１と、記録媒体６を読み取るための記録媒体読取装置２がらなり、前記記録媒体読取装置２が、前記無線装置本体１と別体に構成されているとともに、前記無線装置本体１の制御装置４に有線又は無線により接続させた。【選択図】図１
2007080238.tif 000002
【特許請求の範囲】
【請求項１】
少なくとも送受信装置、制御装置を有する無線機本体と、前記送受信装置における外部課金システムとの間で送受信をするためのアンテナとを有する無線装置本体及び記録媒体を読み取るための記録媒体読取装置からなり、前記記録媒体読取装置が、前記無線装置本体と別体に形成されていると共に、前記無線装置本体の制御装置に有線又は無線手段により互いに接続されていることを特徴とする料金支払装置（システム）。
【請求項２】
前記記録媒体読取装置が記録媒体に記録される情報の書換え、情報の追加または情報の削除が可能である請求項１記載の料金支払決済装置システム。
【請求項３】
前記無線装置本体が携帯電話である請求項１，又は２，又は３，又は４の料金支払決済装置システム。
【請求項４】
前記記録媒体が接触式又は非接触式のカード形式である請求項１，２，３，又は４記載の料金支払決済装置システム。
【請求項５】
前記記録媒体読取装置を駆動するための電源が、記録媒読取装置に交換可能式で取付けられている充電可能式である請求項１，２，３，４，及び５の料金支払決済装置システム。
【請求項６】
前記記録媒体読取装置の電源残容量を明確に示すための手段、特に一定残量限度等を光学的、音声により確認する装置を備えた請求項１，２，３，４，５，及び６である前記料金支払決済装置システム。
【請求項７】
前記記録媒体読取装置に差し込まれた記録媒体の有無及び金額残量を即時表示部に光学的及び音声により開示し、且つ、それにより無線機本体の駆動開閉の承認装置を手段として有する前記請求項１，２，３，４，５，６，及び７の料金支払決済装置システム。
【請求項８】
前記記録媒体読取装置が、無線装置、及び、アンテナと特定の指定条件により作動する請求項，２，３，４，５，６，及び７の料金支払決済装置システム。
【請求項９】
前記記録媒体読取装置が、記憶媒体各種使用の目的、及び、種別により独自の働きを可能とする前記請求項１，２，３，４，５，６，７，８，及び９の料金支払決済装置システム。
【請求項１０】
前記料金支払装置において、各所機能の働き、機能状況、電源の残量、及び、充電又は、料金支払可能の機械的電気的状態を自動的に検索し、その状態を始動的、及び、任意に該保全情報を的確確実に光学的、及び音声で確認装置に知らせ機能を有する請求項１，２，３，４，５，６，７，８，９，及び１０の料金支払決済装置システム。
【請求項１１】
前記無線装置本体が、有線又は無線手段により記憶媒体読取装置と接続する請求項１，２，３，４，５，６，７，８，９，１０，及び１１の料金支払装置。
【請求項１２】
前記記録媒体読取装置における料金決済において、該決済額を車両本体を料金の担保とする事により使用を可能とする料金担保保証を有する前記請求項１，２，３，４，５，６，７，８，９，１０，１１，及び１２の料金支払決済システム。
【請求項１３】
記録媒体読取装置により支払われる料金の保全を、記録媒体読取装置そのものに対し唯一固有の識別確認のコードを付与し、該コードにより使用物体を確定させ、該確定を担保として利用を可能領域を保全した前記請求項１，２，３，４，５，６，７，８，９，１０，１１，１２及び１３の料金支払決済装置システム。
【発明の詳細な説明】
【技術分野】
【０００１】  本発明は、例えば各種の用途に利用可能な料金支払装置に関するシステム装置であって、特に耐震、耐水、防塵を必要とする特殊な技術分野における精算機能装置に関するものである。
【背景技術】
【０００２】  従来、クレジットカード、スイカカード、鉄道用運賃カード及び該カード併用カード、携帯電話、屋外機器利用カードなどの現金授受を伴わない料金支払いという防犯場の利点があるが、該カード利用システムにおれるカード利用については、前記利便という利点がある一方、耐震、耐水、防塵、風害という自然の障害によりカードの利用に障害がある事が一般的である。本発明は上記の障害を解消するという現在にない優れた利点を有している。【０００３】  利用の一例を上げれば、自動車料金精算集金システム（ＥＴＣ）や、鉄道カードなどにおいて非接触カードシステムにおいては、一々カード（記憶媒体）を取り出して読み取り機に、接近させるか、タッチさせなければならないという不自由さがある。【０００４】  前記、ＥＴＣシステムにおいては、二輪車用ＥＴＣは解決していない。
理由は報道及び、インターネット等で開示されているとおり現車載機（ＥＴＣ本体）を二輪車に搭載し利用すると、振動、雨水、埃塵等が機器開口部、又は、ケースの間隙から機器内部に侵入し接触不良を引起こしカードＩＣ接点とカード挿入装置の接点が、前記二輪車走行中の振動による不接触を発生させ読み取れない。又、更に雨水、ゴミ等が前記車上搭載機（車載器）に侵入し機械的機能障害により前記読み取りができないという障害を解決されず、ＥＴＣ二輪車実施期日を過ぎても現在前記障害が解決されず現在も実行されていない。【０００５】  又、現行のＥＴＣ（自動車料金精算装置）は、四輪車を利用目的として企画されているから当然車内における利用を目的として設計製造されているから、前記障害の発生を防ぐことはできない事が当然と言える。
更に、二輪車用に開発され、又、出願されている「特開２００３−１２３１０７号」はヘルメット本体に無線装置及びアンテナにより、ヘルメットに記憶媒体を差込み自動車料金を精算するものであり前記障害を克服せず、ライダーの一般的行動パターンから下車時ヘルメットを肩に担ぐ、又バイクに掛けるという従来の行動から防犯的不安がある。又、同型のヘルメット利用出願「特開２００３−１４１５８９号・特開２００４−３１０６８６号」等のヘルメット式においては、着装時の振動ブレ、雨天時の記憶媒体読取装置への浸水、風圧による接触ずれ等不安は解決せず、又、速走行時においてヘルメットに設置された機器の読取り、表示灯への配慮は走行視線を一瞬とはいえ進路路上及び注意範囲からそらす行為となり、危険が伴うことは当然であるので良好の考案とはいえない。例えヘルメットの表示灯が危険等なにがしかを運転手に知らしめたとしても、瞬時の判断の結果を対処できずゲートバーの開口が阻害され事故の原因となりかねない。
更にバイクの走行は、必ずしも状態のよい路面をのみ走行するものではない。
寧ろ、近年バイクのレース等、競技が盛んとなりその結果車載器に歪みが発生し、記憶媒体読取装置と記憶媒体の不接触ともなり得る。二輪車用ＥＴＣは、言わば全天候型機器である必要がある。このような苛酷な使用に対し、例えば「特開２００４−３４２０２２号」においては、ＥＴＣ車載機を車両本体を格納器に格納しこれを二輪車に固定しエンジン始動に合わせカードの取出し等の開閉時間を調節し、前記カードの安全を図るからＩＣカードは安全でありケースも完封されているので安全であると開示されている。しかし前記諸事障害につき詳細に走行時の問題を解決していない。
又「特開２００４−１３７００号」は、車両判別手段を有する料金収集手段に対する発明である。よって前記二輪車用ＥＴＣが保有しなければならない、絶対条件をクリヤーしていないと解釈される。
これらを含める現在の二輪車用ＥＴＣに対する先願は、前記自然災害及び、バイク利用道路状況等走行時の障害についての対策が完結していない。
更に、同一の機器装置による異種、別種の記憶媒体対応の考案配慮がされず、単一利用に限定され、一機多様という将来必ず発生する多種多様な記憶媒体へのフレキシブルな考察がされておらず本願に比して結果経済的効果が狭小であるといえる。【０００６】  携帯電話、鉄道カード（一例スイカ）等、多くの料金精算装置システムは、発信信号を他人に読取られるのを防ぐためと防犯上の理由から、利用時読取装置に記憶媒体を近接し利用する結果、ポケットからいちいち出し入れし読取機に近接する手段により利用することになり、煩わしく、時には、しまった場所をわすれ慌てスムーズに記憶媒体の出し入れに際しうっかり落としたり、紛失する事もある。
本願発明は、記憶媒体（例えばカード）をポケット、又は鞄などに収納したままでよく一々取り出して読み取り機にかざしたり近接する必要はないから安全である。この場合、磁気波が広範囲に放射されているから、近接して読み取ることができるという理由があるとするならば、該危険は「特許第３２７３９０６号」を併用することにより完全に解決する事ができるし、又「導波路」を併用する事によれば、安価完全に防止する事ができ然も極めて安価である。
【特許文献１】公開特許公報２００３−１２３１０７
【特許文献２】公開特許公報２００３−１４１５８９
【特許文献３】公開特許公報２００４−３１０６８６
【特許文献４】公開特許公報２００４−３４２０２２
【特許文献５】特許第３２７３９０６
【特記文献６】
特許出願ＰＣＴ・ＪＴ２００３−０１５４９６
【発明の開示】
【発明が解決しようとする課題】
【０００７】  本発明が解決しようとする課題は、瞬時に精算が可能であるということは言うまでもなく、各種の用途に応じて使用することが可能であり極めて便利、利用方法が簡単で、防犯、防水、防塵、防振性に優れ然も携帯可能であるという、記録媒体にとっては極めて優位な防犯性に優れた料金支払決済装置のシステムを提供するものである。
【課題を解決するための手段】
【０００８】  前記課題を解決するため、本発明である料金支払決済装置は、少なくとも送受信装置、制御装置を有する無線機本体と前記送受信装置における外部課金システムとの間で送受信するアンテナを有する制御装置を備えた無線装置本体、及び、別体からなる記録媒体を読取るための前記録媒体読取装置は充電且つ交換可能な電源からなり、前記記録媒体読取装置と前記無線装置本体とが別体として形成され、前記２装置間の送受信は前記記憶媒体読取装置に設置した電源で行うが、このためのアンテナとを有し、少なくとも記録媒体読取装置が無線手段により互いに接続される事を特徴とする料金支払装置。【０００９】  前記無線機本体は、外部課金システムと有線又は無線により相互接続し、記録媒体読取装置は前記課金システムに搭載された記録部を利用してもよい。
又、入出記録はその都度即時解析し読取情報の書換、情報の追加又は削除を行う。前記記録媒体は接触式或いは非接触式のカードである構成でもよい。
前記無線機本体を駆動するための電源は車両搭載のバッテリィ又は自備の充電可能で脱着使用が可能な電源である構成してもよく、前記記録媒体装置駆動電源は前記のとおり同記憶媒体読取装置付帯の電源である構成、又、前記記録媒体読取装置に挿入された記録媒体が正常であるか、否かの有無を、記憶媒体装着時自動的に前記無線装置と記録媒体読取装置との電源開閉と共に行う検査システム。
且つ、それらの状況、状態を検知し、知らせる光学的及び音声的構成。更に前記記録媒体と記憶媒体読取装置、更に、無線装置本体、又、外部課金システムとの交信状態が、前記送受信装置と正常に作動しているか、否か、又、前記無線機本体と送受信装置アンテナが、無線装置アンテナと正常的確に作動しているか否かを検知知らしめる構成、また前記各所の作動を確認する表示部が有線又は無線にて車両本体に装備された確認装置に音声、工学的に表示される構成であること。
更に、前記記録媒体に担保されている金額が該利用限度を満たすものであるかを前記記録媒体読取装置がアンテナを通して無線機本体より前記課金システムに照会しその状態を前記確認装置に、前記同様知らしめる構成であること。
其の際、前記記録読取装置は前記記録媒体の担保額を計算し即座に利用者に前記確認装置表示部に前記同様光学的及び音声により知らしめる構成であること。
またアンテナは着衣、又は車両本体の適宜な部署に適宜な形状により設置する構成であること。更に、安全面への配慮から、無帽禁止の配慮策としてヘルメットにアンテナを設置した構成を上げることができるが、該形状、及び位置はデザイン、風圧、天候等に配慮したものが望ましい。
【発明の効果】
【００１０】  本発明によれば、アンテナと送受信装置本体と無線装置本体は記憶媒体読取装置と別体に構成されている事を特徴としている。この２つは有線又は無線手段により互いに接続させるように構成したもので、該構成は以下の欠陥をカバーする。
前記障害とは、二輪車走行時、前記記憶媒体読取装置に収納された記憶媒体、例えばカードが走行時の振動、雨水、塵粉により、前記記憶媒体読取装置定位置に密着して挿入されべきものであるが、前記走行時の障害により前記定位置から瞬時でも離れ、浮き、ガタ付き、接点から外れ読み取り障害が発生するが、本発明においては、無線装置本体と記憶媒体読取装置を別体とし、その間を無線で接続しているためこのような障害は発生しない。
このような利点は、カード差込式による記憶媒体読取装置において、特に高速走行中に決済を必要とする一例として、ＥＴＣにおいては必須の要件となる。
また当然、該効果は、所望のアンテナ、波長、送受信装置、無線機本体の構成により同一機種で各種の多様な効果を発揮することは言うまでもないことである。
更に、従来の携帯電話、カード、コイン、利用券の使用のように読取機に近接嗣、又は手渡し、投げ込むと言う手間が省け便利さがある。【００１１】  本発明は例えば、現在ＥＴＣは法により接触式記憶媒体の利用とされている。
しかし現状はもとより、カードは該接触式である事が望ましい事は周知の事実である。現在のＥＴＣは四輪車用として開発されたものであり、時代遅れのクレジットカード方式によるものである事は偽造・変造カードの続出により証明されている。
要するにＥＴＣ試案企画の当所から時代遅れを予知しながら、前記支払いを担保するという経済的効果により予審可能で担保力のあるクレジットカード方式としたと認定出来る。このような結果車両内に搭載する言わば通称「車載器」に利用する記憶媒体は、クレジットカードとなり、拠って接触式として製作されている。
よって、二輪車という車両本体が屋外にさらされる機構において、当然必要とされる防水性、防塵性、耐震性もないのである。このように状態が本来あるべき非接触カードを排除する結果となっている。現在非接触式はカードの有する最良の利用法をもたらし、多くのカードがそうなっている。
よく一部では、記憶媒体読取部から発する磁気が読取られ危険であるとか、磁気（磁気波）の形態、形状の調整が困難であるとか、風圧により乱れるからという異議に出会うが本発明においては其の点を十分配慮した形態によりライダー、又はドライバーの着衣ポケットに収納した記憶媒体読取装置に収納されている記憶媒体のデータを遅滞無く誤認なく適宜に読み取り送受信し通行を確実に行う事が可能である。更に本発明は、記憶媒体読取装置に接触式、非接触式を読取送受信できる切替え装置（特に図示せず）を装備しているから何れの記憶媒体も利用可能である。
前記記憶媒体読取装置が無線装置本体と別体として構成された結果、障害となる振動、雨水、塵粉、風圧障害を完全に防止する構成として開発されたのが、本料金支払装置であり、更に加えて前記如く走行時において料金の支払いが使用している記憶媒体において担保されているか、否かをも確認装置により確認でき、且つ、装置の状態をも常に自動的に検索され確認装置に表示されるから搭乗機のトラブルを事前に知り対処出来るという優れた安全対策がある。
【発明を実施するための最良の形態】
【００１２】次に、本発明を実施するための最良の形態について説明する。【００１３】  図１は本発明の好ましい実施の形態を示すもので、あくまで一例であるが記憶媒体（カード）形式の無線機本体１と、記録媒体６を挿入する記録媒体読取装置（カードホルダー部）２は分離して存在する。
この形式を現在のＥＴＣ車載器と対比すると、現ＥＴＣ車載機は無線機本体１と記憶媒体読取装置（カードホルダー部）２とが一体として構成形成されている。
本発明は、前記車載機の無線機本体１から前記記憶媒体読取装置（カードホルダー部）２を別体として切り離し構成したものである。
車両に搭載する車載機として少なくとも送受信装置３と関連の制御装置４を一体とし、前記無線機本体１と装置無線手段により記憶媒体読取装置２を接続させ、よって、記憶媒体６を別体として構成された記憶媒体読取装置（カードホルダー部）２の記憶媒体挿入口７から挿入し着衣のポケット等に保管するから、振動も少なく衝撃もなく、雨水、塵芥、風圧にさえ影響されず料金支払時確実に読取り精算出来るという効果がある。
前記料金支払装置は、記憶媒体読取装置（カードホルダー）５を有し、従来方式でカードを挿入口７から挿入すればよく、前記記憶媒体読取装置には充電脱着可能な電源９を付帯する形態により無線機本体と接続する。
前記無線機本体１の電源は車両バッテリイを利用すればよい。又、別体として構成された記憶媒体読取装置（カードホルダー部）２と前記無線機本体１との接続は前記記憶媒体読取装置２に装備された脱着可能な充電式バッテリイ９を装着し利用する。
又少なくとも送受信装置３、記憶媒体読取装置２、前記各装置を制御するための記録部４１を持った制御装置４が組み込まれていると共に、例えば、クレジットカード、プリペイドカード、鉄道用カード、ＥＴＣカードなど各種カードである記録媒体６の種類や情報を記録媒体読取装置２に送信するためのカード差入口７が備えられている。尚、本実施の形態では特に図示しないが、無線装置本体１には無線装置本体１を駆動するための電源が必要であるが、通常の形態性を考慮しない場合には充電式の車両電源を利用する。又、無線装置本体１に脱着可能に装備する事によってもよい。又例えば二輪車や四輪車のＥＴＣに本発明を用いた場合には前記の如く車両搭載のバッテリィ電源として用いることができ、記憶媒体読取装置２に記憶媒体を挿入することによって無線装置本体１が可動する構成で利用する事ができる。【００１４】  本実施において、記憶媒体読取装置２に記憶媒体６を挿入すると自動的に前記記憶媒体読取装置２と無線機本体１とが接続され、同装置可動に係わる事前の利用確認が開始される。該確認は接された装置すべてが確実に起動する事を検索する自動システムである。
前記検索による結果は即時、無線装置本体１からアンテナ１２を経由し外部課金システムに送信され、瞬時折返しその結果が確認装置により音声及び工学的表示によって発せられる。該作業の記憶媒体読取装置２電源９は前記のごとく脱着及び充電可能であると共に電源の容量を常に確認表示部４２に、光学的音声的に表示するために必要な表示部への伝達経路を具備している。【００１５】  本実施の一例として、接触・非接触記憶媒体の利用を許容する構成が有る。（特に図示せず）。前記構成は、記憶媒体読取装置２に設置された識別ボタン１３によって行われるが利用者は利用の記憶媒体６が、接触式か非接触式であるかにより前記識別ボタン１３をセットし記憶媒体６を挿入して用いればよい。【００１６】  特に、本実施においては記録媒体６を一例としてカードを用いたとき前記記憶媒体６が記憶媒体装着部分である前記記憶媒体読取装置（カードホルダー）２に挿入された時点で電源が入力される構成が節電としては好ましい。（特に図示せず）この場合別途にスイッチを設ける必要がないばかりか電源の開閉操作という手間も不要であり操作性にすぐれるという利点がある。【００１７】  例えば従来の車載器ＥＴＣにおいては無線機本体１にアンテナを備えている。
しかし、特に二輪車では天候走行時の振動等による送受信の不完全性があげられる。本発明はこれらに備え車両本体にアンテナ１２を着装する。前記アンテナ１２にはアンテナ設置部（特に図示せず）が備えられている。
アンテナ１２は制御部（特に図示せず）を備え、アンテナ１２と前記送受信装置３との間には変調或いは複合信号の付加などのような信号を介し、波長距離の調整可能な送受信可能である短距離、近距離の無線システム（特に図示せず）が具備されている。尚、本実施例ではアンテナ１２をアンテナ設置部に備えた構成としたがハンドル、ミラー、ライト器具のリング、などを利用したアンテナとしているが車両本体であればどこでもよい、又着衣でもよい。【００１８】  本実施の形態は、前記送受信装置３からの送信信号がアンテナ設置部に備えられたアンテナ１２から発信されると共にアンテナ１２において受信した信号が送受信装置３に送信される。又、其の際に、アンテナ設置部に備えた送受信装置３が行った送受信を確認するための一例として、例えば発行ダイオードなどの表示灯を備えた確認装置１０をドライバー運転中視界の良域に装備しその都度作動する。
この確認装置１０利用上、安全対策上、車両本体又は着衣、或いはヘルメット等最良の部位に設置する。【００１９】  該構成の利用は、例えばＥＴＣ車載器システム、鉄道用料金決済機、銀行決済機各種カードの決済、スキー及び運動料金の利用決済として、記憶媒体６を記憶媒体読取装置（カードホルダー）５に差込んだ状態のまま、着衣、鞄、機器、器具に着装しそれぞれの支払い、又はカウントゲートを通過し利用する場合素早く簡単に通過する事が出来誠に便利である。（特に図示せず）【００２０】  前記記録媒体６が前記記録媒体読取装置（カードホルダー）２に差込まれると、前記無線機本体１への電源が自動的に開き、前記記録媒体読取装置２により記録媒体６の種類、形式情報が読取られ該記憶媒体６に対する読取方式の適、不適が確認され、光学的、及び、音声により発せられる。
この適合が確認されると記録媒体読取装置２により記憶媒体６の種類、記憶の情報が読み取られて制御装置４から外部記録部（又は無線機本体の記録部１８、又該記録部はなくてもよい）の記録部に記録されると共に制御装置４が送受信装置３を介してそれらの情報を前記アンテナ１２に送信する。【００２１】  又、ＥＴＣ等を利用した場合運転行為の注意から、電源の開閉は記録媒体６を記録媒体読取装置（カードホルダー）５に差し込んた後に、無線機本体１に電源が送られる方式が望ましい事は前記の通りである。
しかし、鉄道、買い物等必要に応じて電源の開閉が随時容易可能な場合は、無線機本体１に備えた電源スイッチを操作することにより更に節電効果と、余計な電波、電磁波の発生を防ぐ利点となり、又、アンテナ１２を別途必要させずポケットに入れてある無線機本体１をわざわざ取り出す必要もなく、更に操作性も優れたものとなる。【００２１】  本発明の利用の一例として、例えば車両本体に予め車体番号、又は、一連番号を車体に電磁気的又は照射反応材料で個別記号を刻印し、前記刻印、又は、使用物件毎固有の前記記号を無線機本体１の基本符号として併せて付し、この記号を担保とした料金支払装置としての形態をとってもよい。
例えば、支払時の読取りミス、又は、無線機本体の故障、ゲートの故障、又記憶媒体６の料金不足により通常ＥＴＣゲートバーは開かず、バイカーが接触するか衝突するという料金支払額に見合わない人体的危険又は被害を受けることになる。
当然ＥＣＴに例えれば、予めカード残額の確認をもって道路通行を行う事が正当であったとしても、人間の常としてその確認を忘れることがある。
このような状態に対処した構成は既に前記開示はしたが、二次的保証として前記別途の方法がある。前記車両担保ンステムは利用機器、例えば車両に規定されている車体番号を担保とする清算方法もある。又、前記システムの用途に限定はない。
全ての車両、機器は異類異種一体固有の車体番号を具備するが、この一台固有の基番を例えばカード固有の記号と解釈し、該車体番号を発信機に置き換え、ゲート又は、精算場所に設置した読取装置により確認読取る事も出来る。
一例として車両を上げたが、該一例につき説明すれば、車両は車検を不可欠とする。万一前記ＥＴＣ等清算機により精算未納であれば該通行時のデータから車体番号を割出すことは現在交通管理システムにより容易である。
よって未払い元利の支払いを済ませる事を条件として車検登録をすませればよい。この構成時、本発明の利用は前記車体番号を無線機本体番号と併記し、同時に記憶媒体読取装置２に同様な記号を付し対処すればよい。
以上は、正規な精算システムによる精算を得ない場合への対処であるが、本項に係わる構成は本発明と併用するものとして上げたが、更に本項考案を単一の機構構成として使用する精算方法であってもよい。
該方法は、請求項１に記載した無線機本体を機体記号と相似させる手段でもよい。
【実施例１】
【００２２】  図２は、アンテナ設置部にアンテナ１２を二輪車に設置したものである。
アンテナ１２は制御部を備え（特に図示せず）、アンテナ１２と前記送受信装置３とは無線により接続され、該送受信は任意設定可能な変調或いは複合信号の付加された信号を介して送受信可能な近距離用無線システムであり、その無線の確認を必要とする場合には前記確認装置１０に表示される。
【実施例２】
【００２３】  図３は本発明を二輪車用自動料金収受システム（ＥＴＣ）に利用した場合の実施例を示すものである。尚、無線装置本体１は前記図示１に示したものとほぼ同様なものを使用することができるので詳細に付いての説明は省略する。【００２４】  本実施例では、ライダーの着衣に記憶媒体読取装置（カードホルダー）２を装着する。装着はカードの破損及び、特に車体に設置した無線機本体１からの電波を送受信しやすい場所を考慮した最適の場所が好ましく、上着の胸ポケット又は、腹部前方に着衣する通常ウエストポーチと呼ばれる腹巻状の中がよい。この部位は運転中にカードを紛失する事への用心にもなる。【００２５】  又、アンテナ１２は固定せず、身体に指輪、ブレスレット、ネックレス、ボタン、バッチ、ファスナーとして装着すれば、その優れた、装飾的デザインにより一層利用者に固有の楽しみ、満足的効果があり、ひいてはスペシャリティデザインを装着したライダーという満足をライダーに与えることができる。（特に図示せず）そしてこのようにアンテナ１２を装飾品に高めたという付加価値は、高級装飾品として該アンテナを用いる利用者の範囲の拡張となり、本発明を利用するシステムは一層の利用度、範囲を期待出来るという二次的効果がある。【００２６】  前記アンテナ１２は、腕、手首、首、襷掛け吹き流し、バンダナ等形態が思量され、そのデザインの特徴形態により多種多様な形状が見込まれ、本発明利用採用者にとっては付加的効果の発生として有意義である。（特に図示せず）
【実施例３】
【００２７】  本実施例によれば、無線装置本体１を車体の一部に設置するが、その設置場所はライダーが所持する記憶媒体６、即ち記憶媒体読取装置（カードホルダー）２の送受信装置から電波が有効に届く部署が好ましい。例えばメーター機器付近、又は、ハンドル部分（図示せず）で磁気ノイズが少なく、一番振動もなく、乗心地に配慮され作成されているサドルの下部に収納部分を適宜にもうけ収納する事もよい。
これらのように前方からの風圧、風流、雨水通路、又振動を直接受ける事を避けることが是非望ましい。
前記無線機本体１は出来れば車両本体に組み込まれ設置される事が好ましいが、この場合その設置箇所は出来るだけの振動対策が望ましい。現在の技術からこれらの安定的状況対策はそう難しいものではない。【００２８】  前記無線装置本体１の起動について記載したが、該起動の開始は車両原動機の始動による方法であってもよい。このように主エンシンによる無線装置本体の始動により即ちＥＴＣ機能は開始され、無線装置本体１から記憶媒体読取装置２へと開閉されてもよい。前記記憶媒体６が記録媒体読取装置に挿入されると無線機本体が始動され情報が読取開始される。このとき本発明の構成である自己整備機能（特に図示せず）により、本機に搭載されたすべてのシステム機能の状態が検索される。
前記無線機本体１、記憶媒体読取装置２、アンテナ１２、外部読取装置及び演算記録部等の異常の有無、又、記憶媒体６の使用料残額を含めその結果が前記確認装置１０に音声及び光学的手段により表示されるから、ライダーは予め装置の故障の有無、又、記憶媒体支払の残額の有無を走行前に知ることができ、走行にかかわる料金を事前に担保する事ができると共に、結果的に道路出口での精算がスムーズに行われ、料金不足におけるバーが開かないという不測の事故から逃れることが出来事故防止にもなる。
【図面の簡単な説明】
【００２９】
【図１】本発明の好ましい実施の形態における概略を示す説明図
【図２】本発明の第一実施例におけるアンテナを示す説明図
【図３】本発明を二輪車に装備した一例の説明図
【符号の説明】
【００３０】１，無線機本体  ２，記録媒体読取装置（カードホルダー）  ３，送受信装置  ４，制御送致  ６，記憶媒体  ７．記憶媒体との読取接触部  ８，充電式交換可能電源  １０，確認装置  １２，アンテナ  ４１，記憶部
【図１】
2007080238.tif 000003
【図２】
2007080238.tif 000004
【図３】
2007080238.tif 000005